(57)【要約】  【課題】フレーバ個々の照明手段を制御できる自販機で、人の往来頻度に応じて、照明手段を制御することで、省エネを維持しながら、おすすめ商品を利用客にアピールし、販売促進につなげる。  【解決手段】自動販売機本体１の販売対応面に設けられ、販売商品を表示するフレーバ部３と、フレーバ部３に設けられた照明手段４と、自動販売機本体１の販売対応面の前方を検知領域とする人体検知手段１０と、現在時刻を計測するタイマー手段１２と、タイマー手段１２を基に所定時間毎に人体検知手段１０が作動した回数を計測する時間帯別人体検知作動回数計測手段１３を備えたものであり、時間帯別人体検知作動回数計測手段１３の結果に基づいて、フレーバ部３に設けられた照明手段４を制御することにより、省エネルギーへの貢献と、おすすめ商品を利用客にアピールすることができ、販売促進につなげられる。【選択図】図１
2009301316.tif 000002
【特許請求の範囲】
【請求項１】
自動販売機本体の販売対応面に設けられ、販売商品を表示するフレーバ部と、前記フレーバ部に設けられた照明手段と、自動販売機本体の販売対応面の前方を検知領域とする人体検知手段と、現在時刻を計測するタイマー手段と、前記タイマー手段を基に所定時間毎に前記人体検知手段が作動した回数を計測する時間帯別人体検知作動回数計測手段を備え、前記照明手段の点灯時間帯および消灯時間帯になれば、前記照明手段を点灯および消灯する自動販売機において、前記人体検知手段は検知すれば前記照明手段を点灯および検知領域を通行する通行量を同時に検知するものであって、前記時間帯別人体検知作動回数計測手段の結果が所定量以上であれば前記照明手段の消灯時間帯を点灯時間帯に変更し、所定量以下であれば前記照明手段の点灯時間帯を消灯時間帯または照度を低下させた点灯時間帯に変更することを特徴とする自動販売機。
【請求項２】
前記フレーバ部に個々に前記照明手段を備え、点灯時間帯は前記照明手段をランダムに点灯および消灯を繰り返して照明するランダム照明制御を行うことを特徴とする請求項１の自動販売機。
【請求項３】
発行色を可変できる照明手段を備え、ホット商品とコールド商品とで発行する色が異なることを特徴とする請求項１または２に記載の自動販売機。
【請求項４】
前記人体検知手段が検知するとランダム照明制御が解除されて、全商品展示部を連続で点灯する点灯照明制御に切替えられ、商品選択ボタンの操作が行われると、選択商品の商品展示部のみを点滅照明する点滅照明制御に切替えられ、購入商品が確定すれば購入商品のみを点灯照明する点灯照明制御に切替えられる照明制御手段と、明るさを検知する照度検知手段を備え、前記照度検知手段に基づいて、前記フレーバ部に設けられた照明手段を個々に制御することを特徴とする請求項１から３のいずれか一項に記載の自動販売機。
【請求項５】
通行量の設定を行う通行量設定部を備え、設定された通行量に応じて前記フレーバ部に設けられた照明手段を個々に制御することを特徴とする請求項１から４のいずれか一項に記載の自動販売機。
【発明の詳細な説明】
【技術分野】
【０００１】
本発明は、自動販売機の販売対応面に収納商品表示用フレーバとフレーバ個々に照明手段を設け、フレーバ個々の照明手段を制御できる自動販売機に関するものである。
【背景技術】
【０００２】
従来、この種の自動販売機では、自動販売機本体の前面の販売対応面に、販売商品を表示する商品表示部（フレーバ部）や商品のイメージ広告を行う広告部などの表面を覆うサインボード、商品を選択する選択ボタン、硬貨投入口、硬貨返却口、商品取出し口などが設けられている。
【０００３】
サインボードは、透光性を有するアクリル板などで形成され、背面側から蛍光灯などの光源を有する主照明部で、サインボード全体を照明される。また、販売対応面に人体検知手段を設け、この人体検知手段で販売対応面の前方の検知領域内に進入する人体を検知すると、主照明部を点灯させ、また、人体検知手段で人体を検知しない時には、主照明部を消灯させることにより省エネルギーを図った自動販売機がある（例えば、特許文献１参照）。
【特許文献１】特開２０００−１３７８６３号公報
【発明の開示】
【発明が解決しようとする課題】
【０００４】
しかしながら、前記従来の構成のように、省エネルギーに対応して、主照明部を消灯させてしまうと、遠方からでは自動販売機の電源が切れていて販売していないものと間違えやすく、集客効果を損なうと共に販売機会を失いやすいという課題を有していた。
【０００５】
本発明は、上記従来の課題を解決するもので、販売商品を表示するフレーバ部個々に照明手段を設けると共に、自動販売機本体の販売対応面の前方を検知領域とする人体検知手段と、現在時刻を計測するタイマー手段と、タイマー手段を基に所定時間毎に人体検知手段が作動した回数を計測する時間帯別人体検知作動回数計測手段を備えた自動販売機で、人の行き来の状況に応じて、フレーバ部の照明手段の点灯パターンや明るさを制御することで、省エネルギー効果を低下させることなく、集客効果を高め、販売促進できる自動販売機を提供することを目的とする。
【課題を解決するための手段】
【０００６】
前記従来の課題を解決するために、本発明の自動販売機は、自動販売機本体の販売対応面に設けられ、販売商品を表示するフレーバ部と、フレーバ部個々に設けられた照明手段と、自動販売機本体の販売対応面の前方を検知領域とする人体検知手段と、現在時刻を計測するタイマー手段と、前記タイマー手段を基に所定時間毎に前記人体検知手段が作動した回数を計測する時間帯別人体検知作動回数計測手段を備えたものである。
【０００７】
これにより、時間帯別人体検知作動回数計測手段の結果に基づいて、人の行き来が少ない時は、フレーバ部の照明手段の点灯パターンを少なくしたり、照明手段の明るさを暗くし、逆に人の行き来が多い時は、フレーバ部の照明手段の点灯パターンを多くしたり、照明手段の明るさを明るくなるよう照明手段を個々に制御することにより、省エネルギー効果を低下させることなく、集客効果を高め、点灯フレーバを通じて、おすすめ商品を利用客にアピールすることができ、販売促進につなげられる。
【発明の効果】
【０００８】
本発明の自動販売機は、集客効果を高め、点灯フレーバを通じて、おすすめ商品を利用客にアピールすることができ、販売促進につなげられる。所定量以下であれば照明手段の点灯時間帯を消灯時間帯または照度を低下させた点灯時間帯に変更することで、省エネルギーへの貢献もできる。
【発明を実施するための最良の形態】
【０００９】
請求項１の発明は、自動販売機本体の販売対応面に設けられ、販売商品を表示するフレーバ部と、フレーバ部に設けられた照明手段と、自動販売機本体の販売対応面の前方を検知領域とする人体検知手段と、現在時刻を計測するタイマー手段と、タイマー手段を基に所定時間毎に人体検知手段が作動した回数を計測する時間帯別人体検知作動回数計測手段を備え、照明手段の点灯時間帯および消灯時間帯になれば、照明手段を点灯および消灯する自動販売機において、人体検知手段は検知すれば照明手段を点灯および検知領域を通行する通行量を同時に検知するものであって、時間帯別人体検知作動回数計測手段の結果が所定量以上であれば照明手段の消灯時間帯を点灯時間帯に変更することで人の行き来が多い時は、照明手段を点灯させることにより、集客効果を高め、販売促進につなげられる。所定量以下であれば照明手段の点灯時間帯を消灯時間帯または照度を低下させた点灯時間帯に変更することで、省エネルギーへの貢献もできる。
【００１０】
請求項２の発明は、請求項１に記載の発明にさらに、フレーバ部に個々に前記照明手段を備え、点灯時間帯は照明手段をランダムに点灯および消灯を繰り返して照明するランダム照明制御を行うことにより省エネルギーへ貢献するとともに集客効果を高め、販売促進につなげられる。
【００１１】
請求項３の発明は、請求項１または２に記載の発明にさらに、発行色を可変できる照明手段を備え、ホット商品とコールド商品とで発行する色が異なることにより暖色系をホット商品、寒色系をコールド商品を使用することで商品の特徴をアピールでき、顧客が商品を購入する際にその商品がホットかコールドかを判別でき購入間違いを防止できる。
【００１２】
請求項４の発明は、請求項１から３のいずれか一項に記載の発明に、さらに人体検知手段が検知するとランダム照明制御が解除されて、全商品展示部を連続で点灯する点灯照明制御に切替えられ、商品選択ボタンの操作が行われると、選択商品の商品展示部のみを点滅照明する点滅照明制御に切替えられ、購入商品が確定すれば購入商品のみを点灯照明する点灯照明制御に切替えられる照明制御手段と、明るさを検知する照度検知手段を備え、照度検知手段に基づいて、フレーバ部に設けられた照明手段を個々に制御することにより、待機時には省エネルギーへ貢献し、商品を購入する際には商品を選択し易いように全灯し、商品を選択した際には、選択商品のフレーバ部を点滅させることで顧客の利便性低下を防止する。また、周囲が明るい時は、人の行き来が多くても、照明手段の明るさを暗くすることで、省エネルギーへの貢献もできる。
【００１３】
請求項５の発明は、請求項１から４のいずれか一項に記載の発明にさらに、通行量の設定を行う通行量設定部を備え、設定された通行量に応じてフレーバ部に設けられた照明手段を個々に制御することにより省エネルギーの効果を最大限に保ちながら、集客効果を高め、販売促進につなげられる。
【００１４】
以下、本発明の実施の形態について、図面を参照しながら説明するが、この実施の形態によって、本発明が限定されるものではない。
【００１５】
（実施の形態１）
図１は本発明の実施の形態１を示す自動販売機の正面図である。図２は、本実施の形態１における自動販売機の制御装置の機能ブロック図である。図３は、同実施の形態の動作を示すフローチャートである。
【００１６】
図１、図２において、筐体１は自動販売機本体であり、前部開口部には外扉２が販売対応面として配置されている。外扉２の上部に販売商品を表示する商品表示部（フレーバ部）３が複数配置され、フレーバ部３の背面には、各々のフレーバ部３を照明する照明手段４が配置されている。
【００１７】
照明手段４は、例えば、発光ダイオード（ＬＥＤ）などが用いられる。フレーバ部３はシルク印刷したアクリルなどで板状に形成され、着脱可能に装着されていると共に、背面側からの照明光に対して透光性を示すと共に、背面側から照明光がない状態では背面側が透視しにくいような光透過機能を有している。各々のフレーバ部３の下部には、商品選択手段５が配置されている。
【００１８】
フレーバ部３の下方には商品のイメージ広告などを掲示する広告パネル室６、金銭投入口７、釣銭返却口８、金額表示手段９、商品取出し口１１が備えられている。人体検知手段１０は、例えば赤外線センサ、超音波センサ、光電スイッチ、光センサなどで構成されており、自動販売機本体１の販売対応面２の前方を検知領域として、この検知領域に進入する人体を検知する。タイマー手段１２は現在時刻を計測する。
【００１９】
時間帯別人体検知作動回数計測手段１３は、タイマー手段１２を基に、所定時間単位〔例えば１時間単位〕で人体検知手段１０が作動する毎に今回時間帯の作動回数を１回加算し、所定時間経過すると、前回時間帯の作動回数として記憶すると共に、今回時間帯の作動回数をリセットする。商品コード設定手段１４は、商品選択手段５を押した時に販売する商品の収納庫の番号、商品コード、商品の種類、冷／温の識別等を設定するもので、設定した各種データは設定データ記憶手段１５に記憶されている。
【００２０】
フレーバ部３の表示内容と商品選択手段に設定された商品コード等とは一致するよう設定されている。照明点灯消灯時間帯記憶手段１７は、照明を点灯させる所定の時間帯ならびに照明を消灯させる所定の時間帯を記憶している。１６ａは照明手段４、商品選択手段５、人体検知手段１０、タイマー手段１２、時間帯別人体検知作動回数計測手段１３、商品コード設定手段１４、設定データ記憶手段１５、照明点灯消灯時間帯記憶手段１７と接続されている。
【００２１】
以上のように構成された自動販売機の制御装置について、以下、図３を用いて動作を説明する。
【００２２】
まず、販売可能状態で商品選択手段５が押された時に、販売する商品を商品コード設定手段１４で、あらかじめ設定されている。設定されている内容は、例えば、該当の商品がどの商品収納庫に収納されているのか（収納庫番号の設定）、該当商品がコールド商品かホット商品か（商品の冷／温設定）、該当商品の種類（コーヒー系、ジュース系、お茶系）等が設定可能で、商品コード設定手段１４で設定された各種データは、設定データ記憶手段１５に記憶されている。
【００２３】
待機状態において、人体検知手段１０により、自動販売機本体１の販売対応面２の前方を検知領域とした範囲内を人が通過したかどうか判断する（ＳＴＥＰ１）。検知領域内を人が通過したと判断した時は、ＳＴＥＰ２へ進み、時間帯別人体検知作動回数計測手段１３の今回時間帯の作動回数を１回加算し、ＳＴＥＰ３へ進む。ＳＴＥＰ１で、人体検知手段１０の検知領域内に人がいないと判断した時はＳＴＥＰ３へ進む。ＳＴＥＰ３で、タイマー手段１２を基に、所定時間経過したか判定する。
【００２４】
所定時間経過していないと判断した時はＳＴＥＰ６へ進む。ＳＴＥＰ３で所定時間経過したと判断した時は、時間帯別人体検知作動回数計測手段１３に記憶されている今回時間帯の人体検知作動回数を前回時間帯の人体検知作動回数へコピーする（ＳＴＥＰ４）と共に、今回時間帯の人体検知作動回数をクリア（ＳＴＥＰ５）し、ＳＴＥＰ６へ進む。ＳＴＥＰ６で、時間帯別人体検知作動回数計測手段１３に記憶されている前回時間帯の人体検知作動回数が所定回数以上かどうか判定し、所定回数以上の場合、ＳＴＥＰ７へ進む。ＳＴＥＰ７で、消灯時間帯かどうか判定し、消灯時間帯の場合、ＳＴＥＰ９へ進み、フレーバ部３の照明手段４を点灯する。
【００２５】
ＳＴＥＰ６で、時間帯別人体検知作動回数計測手段１３に記憶されている前回時間帯の人体検知作動回数が所定回数未満の場合、ＳＴＥＰ８へ進む。ＳＴＥＰ８で、点灯時間帯かどうか判定し、点灯時間帯の場合、ＳＴＥＰ１０へ進み、フレーバ部３の照明手段４を消灯する。以上の動作を、定期的に実行する。
【００２６】
尚、本実施例では、フレーバ部３の照明手段４を点灯／消灯するとしたが、フレーバ部３の照明手段４を明るさの明暗で制御するといった方法でも良い。
【００２７】
また、判定する人体検知作動回数を前回の時間帯を基準にしたが、今回の時間帯を基準にしても良い。或いは、過去１週間の時間帯別の人体検知作動回数の平均を基準にしたり、過去１ヶ月の時間帯別の人体検知作動回数を曜日別に統計をとったものを基準にしても良い。
【００２８】
以上のように本実施の形態の自動販売機の制御装置によれば、自動販売機本体１の販売対応面に設けられ、販売商品を表示するフレーバ部３と、フレーバ部３に設けられた照明手段４と、自動販売機本体１の販売対応面の前方を検知領域とする人体検知手段１０と、現在時刻を計測するタイマー手段１２と、タイマー手段１２を基に所定時間毎に人体検知手段１０が作動した回数を計測する時間帯別人体検知作動回数計測手段１３を備え、時間帯別人体検知作動回数計測手段１３の結果に基づいて、人の行き来が多い時は、フレーバ部３の照明手段４を点灯したり、照明手段４の明るさを明るくなるよう照明手段４を点灯させることにより、集客効果を高め、販売促進につなげられる。所定量以下であれば照明手段４の点灯時間帯を消灯時間帯または照度を低下させた点灯時間帯に変更することで、省エネルギーへの貢献もできる。
【００２９】
（実施の形態２）
図４は、本発明の実施の形態２の自動販売機の制御機能ブロック図である。図５は、同実施の形態の動作を示すフローチャートである。尚、実施の形態１と同一構成については、同一符号を付して詳細な説明を省略する。
【００３０】
図４において、照明手段１８は、制御部１６ｂに接続され、フレーバ部３に個々に設けられた複数の照明手段である。
【００３１】
以上のように構成された自動販売機の制御装置について、以下、図５を用いて、その動作を説明する。
【００３２】
まず、販売可能状態で商品選択手段５が押された時に、販売する商品を商品コード設定手段１４で、あらかじめ設定されている。設定されている内容は、例えば、該当の商品がどの商品収納庫に収納されているのか（収納庫番号の設定）、該当商品がコールド商品かホット商品か（商品の冷／温設定）、該当商品の種類（コーヒー系、ジュース系、お茶系）等が設定可能で、商品コード設定手段１４で設定された各種データは、設定データ記憶手段１５に記憶されている。
【００３３】
待機状態において、人体検知手段１０により、自動販売機本体１の販売対応面２の前方を検知領域とした範囲内を人が通過したかどうか判断する（ＳＴＥＰ１）。検知領域内を人が通過したと判断した時は、ＳＴＥＰ２へ進み、時間帯別人体検知作動回数計測手段１３の今回時間帯の作動回数を１回加算し、ＳＴＥＰ３へ進む。ＳＴＥＰ１で、人体検知手段１０の検知領域内に人がいないと判断した時はＳＴＥＰ３へ進む。ＳＴＥＰ３で、タイマー手段１２を基に、所定時間経過したか判定する。所定時間経過していないと判断した時はＳＴＥＰ６へ進む。
【００３４】
ＳＴＥＰ３で所定時間経過したと判断した時は、時間帯別人体検知作動回数計測手段１３に記憶されている今回時間帯の人体検知作動回数を前回時間帯の人体検知作動回数へコピーする（ＳＴＥＰ４）と共に、今回時間帯の人体検知作動回数をクリア（ＳＴＥＰ５）し、ＳＴＥＰ６へ進む。ＳＴＥＰ６で、時間帯別人体検知作動回数計測手段１３に記憶されている前回時間帯の人体検知作動回数が所定回数以上かどうか判定し、所定回数以上の場合、ＳＴＥＰ７へ進む。ＳＴＥＰ７で、消灯時間帯かどうか判定し、消灯時間帯の場合、ＳＴＥＰ１１へ進み、フレーバ部３の照明手段１８をランダムに点灯する。ＳＴＥＰ６で、時間帯別人体検知作動回数計測手段１３に記憶されている前回時間帯の人体検知作動回数が所定回数未満の場合、ＳＴＥＰ８へ進む。ＳＴＥＰ８で、点灯時間帯かどうか判定し、点灯時間帯の場合、ＳＴＥＰ１０へ進み、フレーバ部３の照明手段１８を消灯する。以上の動作を、定期的に実行する。
【００３５】
尚、本実施例では、フレーバ部３の照明手段１８を点灯／消灯するとしたが、フレーバ部３の照明手段１８を明るさの明暗で制御するといった方法でも良い。
【００３６】
また、判定する人体検知作動回数を前回の時間帯を基準にしたが、今回の時間帯を基準にしても良い。或いは、過去１週間の時間帯別の人体検知作動回数の平均を基準にしたり、過去１ヶ月の時間帯別の人体検知作動回数を曜日別に統計をとったものを基準にしても良い。
【００３７】
以上のように本実施の形態の自動販売機の制御装置によれば、自動販売機本体１の販売対応面に設けられ、販売商品を表示するフレーバ部３と、フレーバ部３に個々に設けられた照明手段１８と、自動販売機本体１の販売対応面の前方を検知領域とする人体検知手段１０と、現在時刻を計測するタイマー手段１２と、タイマー手段１２を基に所定時間毎に人体検知手段１０が作動した回数を計測する時間帯別人体検知作動回数計測手段１３を備え、時間帯別人体検知作動回数計測手段１３の結果に基づいて、人の行き来が多い時は、フレーバ部３の照明手段１８をランダムに点灯させることにより、集客効果を高め、販売促進につなげられるとともに省エネルギーへの貢献もできる。所定量以下であれば照明手段１８の点灯時間帯を消灯時間帯または照度を低下させた点灯時間帯に変更することで、省エネルギーへの貢献もできる。
【００３８】
（実施の形態３）
図６は、本発明の実施の形態３の自動販売機の制御機能ブロック図である。図７は、同実施の形態の動作を示すフローチャートである。尚、実施の形態１と同一構成については、同一符号を付して詳細な説明を省略する。
【００３９】
図６において、照明手段１９は、制御部１６ｃに接続され、発行色を変更できるように複数のＬＥＤまたはフルカラーＬＥＤを備えたものである。
【００４０】
以上のように構成された自動販売機の制御装置について、以下、図７を用いて、その動作を説明する。
【００４１】
まず、販売可能状態で商品選択手段５が押された時に、販売する商品を商品コード設定手段１４で、あらかじめ設定されている。設定されている内容は、例えば、該当の商品がどの商品収納庫に収納されているのか（収納庫番号の設定）、該当商品がコールド商品かホット商品か（商品の冷／温設定）、該当商品の種類（コーヒー系、ジュース系、お茶系）等が設定可能で、商品コード設定手段１４で設定された各種データは、設定データ記憶手段１５に記憶されている。
【００４２】
待機状態において、人体検知手段１０により、自動販売機本体１の販売対応面２の前方を検知領域とした範囲内を人が通過したかどうか判断する（ＳＴＥＰ１）。検知領域内を人が通過したと判断した時は、ＳＴＥＰ２へ進み、時間帯別人体検知作動回数計測手段１３の今回時間帯の作動回数を１回加算し、ＳＴＥＰ３へ進む。ＳＴＥＰ１で、人体検知手段１０の検知領域内に人がいないと判断した時はＳＴＥＰ３へ進む。ＳＴＥＰ３で、タイマー手段１２を基に、所定時間経過したか判定する。
【００４３】
所定時間経過していないと判断した時はＳＴＥＰ６へ進む。ＳＴＥＰ３で所定時間経過したと判断した時は、時間帯別人体検知作動回数計測手段１３に記憶されている今回時間帯の人体検知作動回数を前回時間帯の人体検知作動回数へコピーする（ＳＴＥＰ４）と共に、今回時間帯の人体検知作動回数をクリア（ＳＴＥＰ５）し、ＳＴＥＰ６へ進む。ＳＴＥＰ６で、時間帯別人体検知作動回数計測手段１３に記憶されている前回時間帯の人体検知作動回数が所定回数以上かどうか判定し、所定回数以上の場合、ＳＴＥＰ７へ進む。
【００４４】
ＳＴＥＰ７で、消灯時間帯かどうか判定し、消灯時間帯の場合、コールド商品かホット商品かの判定を行う（ＳＴＥＰ１２）。コールド商品設定の場合は、フレーバ部３の照明手段１９を青色に点灯（ＳＴＥＰ１３）し、ホット商品設定の場合は、フレーバ部３の照明手段１９を橙色に点灯（ＳＴＥＰ１４）する。ＳＴＥＰ６で、時間帯別人体検知作動回数計測手段１３に記憶されている前回時間帯の人体検知作動回数が所定回数未満の場合、ＳＴＥＰ８へ進む。
【００４５】
ＳＴＥＰ８で、点灯時間帯かどうか判定し、点灯時間帯の場合、ＳＴＥＰ１０へ進み、フレーバ部３の照明手段１９を消灯する。以上の動作を、定期的に実行する。
【００４６】
尚、本実施例では、フレーバ部３の照明手段１９を点灯／消灯するとしたが、フレーバ部３の照明手段１９を明るさの明暗で制御するといった方法でも良い。
【００４７】
また、判定する人体検知作動回数を前回の時間帯を基準にしたが、今回の時間帯を基準にしても良い。或いは、過去１週間の時間帯別の人体検知作動回数の平均を基準にしたり、過去１ヶ月の時間帯別の人体検知作動回数を曜日別に統計をとったものを基準にしても良い。
【００４８】
以上のように本実施の形態の自動販売機の制御装置によれば、自動販売機本体１の販売対応面に設けられ、販売商品を表示するフレーバ部３と、フレーバ部３に設けられた照明手段１９と、自動販売機本体１の販売対応面の前方を検知領域とする人体検知手段１０と、現在時刻を計測するタイマー手段１２と、タイマー手段１２を基に所定時間毎に人体検知手段１０が作動した回数を計測する時間帯別人体検知作動回数計測手段１３を備え、ホット商品とコールド商品とで発行する色が異なることにより暖色系をホット商品、寒色系をコールド商品を使用することで商品の特徴をアピールでき、顧客が商品を購入する際にその商品がホットかコールドかを判別でき購入間違いを防止できる。
【００４９】
（実施の形態４）
図８は、本発明の実施の形態４の自動販売機の制御機能ブロック図である。図９は、同実施の形態の動作を示すフローチャートである。尚、実施の形態１と同一構成については、同一符号を付して詳細な説明を省略する。
【００５０】
図８において、照度検知手段２０は、制御部１６ｄに接続され、自動販売機周辺の明るさを検知している。
【００５１】
以上のように構成された自動販売機の制御装置について、以下、図９を用いて、その動作を説明する。
【００５２】
まず、販売可能状態で商品選択手段５が押された時に、販売する商品を商品コード設定手段１４で、あらかじめ設定されている。設定されている内容は、例えば、該当の商品がどの商品収納庫に収納されているのか（収納庫番号の設定）、該当商品がコールド商品かホット商品か（商品の冷／温設定）、該当商品の種類（コーヒー系、ジュース系、お茶系）等が設定可能で、商品コード設定手段１４で設定された各種データは、設定データ記憶手段１５に記憶されている。
【００５３】
待機状態において、人体検知手段１０により、自動販売機本体１の販売対応面２の前方を検知領域とした範囲内を人が通過したかどうか判断する（ＳＴＥＰ１）。検知領域内を人が通過したと判断した時は、ＳＴＥＰ２３へ進み、人体検知が所定時間以上検知したか判定する（ＳＴＥＰ２３）。所定時間以上と判定した時は、フレーバ部の照明手段を全灯し（ＳＴＥＰ１７）、選択ボタンの操作がされたか判断する（ＳＴＥＰ１８）。
【００５４】
選択ボタンの操作がされなかった時は、終了する。選択ボタンの操作が行われた時は、選択されたフレーバ部の照明手段を点滅し（ＳＴＥＰ１９）、入金されたか判断する（ＳＴＥＰ２０）。入金されなかった場合はＳＴＥＰ１９を継続する。入金された場合は、選択されたフレーバ部の照明手段のみ点灯し（ＳＴＥＰ２１）、販売動作の完了を判断する（ＳＴＥＰ２２）。販売動作が完了していない時は、ＳＴＥＰ２２を継続する。販売動作が完了した時は、終了する。
【００５５】
所定時間以下と判定した時は、ＳＴＥＰ２へ進み、時間帯別人体検知作動回数計測手段１３の今回時間帯の作動回数を１回加算し、ＳＴＥＰ３へ進む。ＳＴＥＰ１で、人体検知手段１０の検知領域内に人がいないと判断した時はＳＴＥＰ３へ進む。ＳＴＥＰ３で、タイマー手段１２を基に、所定時間経過したか判定する。
【００５６】
所定時間経過していないと判断した時はＳＴＥＰ６へ進む。ＳＴＥＰ３で所定時間経過したと判断した時は、時間帯別人体検知作動回数計測手段１３に記憶されている今回時間帯の人体検知作動回数を前回時間帯の人体検知作動回数へコピーする（ＳＴＥＰ４）と共に、今回時間帯の人体検知作動回数をクリア（ＳＴＥＰ５）し、ＳＴＥＰ６へ進む。ＳＴＥＰ６で、時間帯別人体検知作動回数計測手段１３に記憶されている前回時間帯の人体検知作動回数が所定回数以上かどうか判定し、所定回数以上の場合、ＳＴＥＰ７へ進む。ＳＴＥＰ７で、消灯時間帯かどうか判定し、消灯時間帯の場合、ＳＴＥＰ１５へ進み、周囲の明るさを判定する（ＳＴＥＰ１５）。
【００５７】
周囲が暗い時は、フレーバ部３の照明手段４を点灯する。周囲が明るい時は、フレーバ部３の照明手段４を消灯する。ＳＴＥＰ６で、時間帯別人体検知作動回数計測手段１３に記憶されている前回時間帯の人体検知作動回数が所定回数未満の場合、ＳＴＥＰ８へ進む。ＳＴＥＰ８で、点灯時間帯かどうか判定し、点灯時間帯の場合、ＳＴＥＰ１０へ進み、フレーバ部３の照明手段４を消灯する。以上の動作を、定期的に実行する。
【００５８】
尚、本実施例では、フレーバ部３の照明手段４を点灯／消灯するとしたが、フレーバ部３の照明手段４を明るさの明暗で制御するといった方法でも良い。
【００５９】
また、判定する人体検知作動回数を前回の時間帯を基準にしたが、今回の時間帯を基準にしても良い。或いは、過去１週間の時間帯別の人体検知作動回数の平均を基準にしたり、過去１ヶ月の時間帯別の人体検知作動回数を曜日別に統計をとったものを基準にしても良い。
【００６０】
以上のように本実施の形態の自動販売機の制御装置によれば、自動販売機本体１の販売対応面に設けられ、販売商品を表示するフレーバ部３と、フレーバ部３に設けられた照明手段４と、自動販売機本体１の販売対応面の前方を検知領域とする人体検知手段１０と、現在時刻を計測するタイマー手段１２と、タイマー手段１２を基に所定時間毎に人体検知手段１０が作動した回数を計測する時間帯別人体検知作動回数計測手段１３と、照度検知手段２０を備え、人体検知手段が検知するとランダム照明制御が解除されて、全商品展示部を連続で点灯する点灯照明制御に切替えられ、商品選択ボタンの操作が行われると、選択商品の商品展示部のみを点滅照明する点滅照明制御に切替えられ、購入商品が確定すれば購入商品のみを点灯照明する点灯照明制御に切替えられる照明制御手段と、明るさを検知する照度検知手段を備え、照度検知手段に基づいて、フレーバ部に設けられた照明手段を個々に制御することにより、待機時には省エネルギーへ貢献し、商品を購入する際には商品を選択し易いように全灯し、商品を選択した際には、選択商品のフレーバ部を点滅させることで顧客の利便性低下を防止する。
【００６１】
また、周囲が明るい時は、人の行き来が多くても、照明手段の明るさを暗くすることで、省エネルギーへの貢献もできる。
【００６２】
（実施の形態５）
図１０は、本発明の実施の形態５の自動販売機の制御機能ブロック図である。図１１は、同実施の形態の動作を示すフローチャートである。尚、実施の形態１と同一構成については、同一符号を付して詳細な説明を省略する。
【００６３】
図１０において、通行量設定部２１は、制御部１６ｅに接続され、時間帯別人体検知作動回数計測手段の結果が所定量以上であれば照明手段の消灯時間帯を点灯時間帯に変更し、所定量以下であれば照明手段の点灯時間帯を消灯時間帯または照度を低下させた点灯時間帯に変更する所定量を設定するためのものである。
【００６４】
以上のように構成された自動販売機の制御装置について、以下、図１１を用いて、その動作を説明する。
【００６５】
まず、販売可能状態で商品選択手段５が押された時に、販売する商品を商品コード設定手段１４で、あらかじめ設定されている。設定されている内容は、例えば、該当の商品がどの商品収納庫に収納されているのか（収納庫番号の設定）、該当商品がコールド商品かホット商品か（商品の冷／温設定）、該当商品の種類（コーヒー系、ジュース系、お茶系）等が設定可能で、商品コード設定手段１４で設定された各種データは、設定データ記憶手段１５に記憶されている。
【００６６】
待機状態において、人体検知手段１０により、自動販売機本体１の販売対応面２の前方を検知領域とした範囲内を人が通過したかどうか判断する（ＳＴＥＰ１）。検知領域内を人が通過したと判断した時は、ＳＴＥＰ２へ進み、時間帯別人体検知作動回数計測手段１３の今回時間帯の作動回数を１回加算し、ＳＴＥＰ３へ進む。ＳＴＥＰ１で、人体検知手段１０の検知領域内に人がいないと判断した時はＳＴＥＰ３へ進む。ＳＴＥＰ３で、タイマー手段１２を基に、所定時間経過したか判定する。所定時間経過していないと判断した時はＳＴＥＰ６へ進む。
【００６７】
ＳＴＥＰ３で所定時間経過したと判断した時は、時間帯別人体検知作動回数計測手段１３に記憶されている今回時間帯の人体検知作動回数を前回時間帯の人体検知作動回数へコピーする（ＳＴＥＰ４）と共に、今回時間帯の人体検知作動回数をクリア（ＳＴＥＰ５）し、ＳＴＥＰ２４へ進む。ＳＴＥＰ２４で、時間帯別人体検知作動回数計測手段１３に記憶されている前回時間帯の人体検知作動回数が通行量設定部で設定された設定回数以上かどうか判定し、設定回数以上の場合、ＳＴＥＰ７へ進む。ＳＴＥＰ７で、消灯時間帯かどうか判定し、消灯時間帯の場合、ＳＴＥＰ９へ進み、フレーバ部３の照明手段４を点灯する。ＳＴＥＰ２４で、時間帯別人体検知作動回数計測手段１３に記憶されている前回時間帯の人体検知作動回数が通行量設定部で設定された設定回数未満の場合、ＳＴＥＰ８へ進む。ＳＴＥＰ８で、点灯時間帯かどうか判定し、点灯時間帯の場合、ＳＴＥＰ１０へ進み、フレーバ部３の照明手段４を消灯する。以上の動作を、定期的に実行する。
【００６８】
尚、本実施例では、フレーバ部３の照明手段４を点灯／消灯するとしたが、フレーバ部３の照明手段４を明るさの明暗で制御するといった方法でも良い。
【００６９】
また、判定する人体検知作動回数を前回の時間帯を基準にしたが、今回の時間帯を基準にしても良い。或いは、過去１週間の時間帯別の人体検知作動回数の平均を基準にしたり、過去１ヶ月の時間帯別の人体検知作動回数を曜日別に統計をとったものを基準にしても良い。
【００７０】
以上のように本実施の形態の自動販売機の制御装置によれば、自動販売機本体１の販売対応面に設けられ、販売商品を表示するフレーバ部３と、フレーバ部３に設けられた照明手段４と、自動販売機本体１の販売対応面の前方を検知領域とする人体検知手段１０と、現在時刻を計測するタイマー手段１２と、タイマー手段１２を基に所定時間毎に人体検知手段１０が作動した回数を計測する時間帯別人体検知作動回数計測手段１３と、通行量設定部２１を備え、設定された通行量に応じてフレーバ部に設けられた照明手段を個々に制御することにより省エネルギーの効果を最大限に保ちながら、集客効果を高め、販売促進につなげられる。
【産業上の利用可能性】
【００７１】
以上のように、本発明にかかる自動販売機は、点灯フレーバを通じて、おすすめ商品を利用客にアピールすることができ、販売促進につなげられるので、商品表示部を個々に点灯制御できるあらゆる自動販売機に適用できる。
【図面の簡単な説明】
【００７２】
【図１】本発明の実施の形態を示す自動販売機の正面図
【図２】本発明の実施の形態１による自動販売機の制御装置の機能ブロック図
【図３】同実施の形態の自動販売機の制御装置の動作を示すフローチャート
【図４】本発明の実施の形態２による自動販売機の制御装置の機能ブロック図
【図５】同実施の形態の自動販売機の制御装置の動作を示すフローチャート
【図６】本発明の実施の形態３による自動販売機の制御装置の機能ブロック図
【図７】同実施の形態の自動販売機の制御装置の動作を示すフローチャート
【図８】本発明の実施の形態４による自動販売機の制御装置の機能ブロック図
【図９】同実施の形態の自動販売機の制御装置の販売時の動作を示すフローチャート
【図１０】本発明の実施の形態５による自動販売機の制御装置の機能ブロック図
【図１１】同実施の形態の自動販売機の制御装置の販売時の動作を示すフローチャート
【符号の説明】
【００７３】
３  フレーバ
４、１８、１９  照明手段
１０  人体検知手段
１２  タイマー手段
１３  時間帯別人体検知作動回数計測手段
１６ａ、１６ｂ、１６ｃ、１６ｄ、１６ｅ  制御部
１７  時間帯別販売回数計測手段
２０  照度検知手段
２１  通行量設定部
【図１】
2009301316.tif 000003
【図２】
2009301316.tif 000004
【図３】
2009301316.tif 000005
【図４】
2009301316.tif 000006
【図５】
2009301316.tif 000007
【図６】
2009301316.tif 000008
【図７】
2009301316.tif 000009
【図８】
2009301316.tif 000010
【図９】
2009301316.tif 000011
【図１０】
2009301316.tif 000012
【図１１】
2009301316.tif 000013